(57)【要約】【課題】  文字盤に可変性をもった装飾が施された時計について、文字盤に表示されるキャラクターのイメージに可変性をもたせて購買意欲を強く喚起する。【解決手段】  文字盤１にキャラクター２の少なくとも顔が描かれ、文字盤１に描かれたキャラクター２の顔の目の部分に窓３が開口されている。文字盤１の背面にキャラクター２の目の複数の形状６ｂが放射状に描かれた回転板６が当接されて、窓３にキャラクター２の目の異なる形状６ｂが選択的に表示される。キャラクター２の目の形状６ｂは、一定時間の経過ごとに自動的に変更される。【選択図】        図１
0003167578.tif 000002
【実用新案登録請求の範囲】
【請求項１】
文字盤にキャラクターの少なくとも顔が描かれ、文字盤に描かれたキャラクターの顔の目の部分に窓が開口され、窓にキャラクターの目の異なる形状が選択的に表示されるようにしてなる時計。
【請求項２】
請求項１の時計において、文字盤の背面にキャラクターの目の複数の形状が放射状に描かれた回転板が当接されていることを特徴とする時計。
【請求項３】
請求項１の時計において、文字盤の窓にキャラクターの目の複数の形状を切換表示する液晶画面が取付けられていることを特徴とする時計。
【請求項４】
請求項２または３の時計において、表示されるキャラクターの目の形状が一定時間の経過ごとに自動的に変更されるものであることを特徴とする時計。
【考案の詳細な説明】
【技術分野】
【０００１】
本考案は、文字盤に可変性をもった装飾が施された時計に係る技術分野に属する。
【背景技術】
【０００２】
最近、時計の購買意欲を喚起するために、文字盤に各種の装飾が施されるようになっている。この装飾としては、固定的ではなく可変性をもったものが好まれる傾向がある。
【０００３】
従来、文字盤に可変性をもった装飾が施された時計としては、例えば、特許文献１に記載のものが知られている。
【０００４】
特許文献１には、窓が開口された文字盤の背面に複数の動物からなるキャラクターが放射状に描かれた回転板が当接され、回転板が回転されることで文字盤の窓に表示されるキャラクターが変更されるようにした時計が記載されている。
【０００５】
特許文献１に係る時計は、時刻を告知する際に文字盤の窓に表示されるキャラクターを順次変更することで、時刻を告知する文字盤（時計針）に注意を引付けるとともにある種の面白さをも提供するものである。
【先行技術文献】
【特許文献】
【０００６】
【特許文献１】登録実用新案第３０４４７９７号公報
【考案の概要】
【考案が解決しようとする課題】
【０００７】
特許文献１に係る時計では、文字盤の窓に表示されるキャラクターが順次変更されるものが開示されているが、回転板に描かれている複数のキャラクター全体象が単に選択表示されるにすぎず、また文字盤の窓にも時計の機構上大きさに限界が有ることと相俟ってキャラクターも小さく表現されざるを得ないので各キャラクターのイメージは皆同じように視認されることになってしまい、いきおい表示した各キャラクターのイメージ訴求力が弱くなって需要者の購買意欲を強く喚起することができないという問題点がある。
【０００８】
本考案は、このような問題点を考慮してなされたもので、目は口ほどに物を言い、と言うことわざ通り、目付きは口で話すのと同じくらい気持ちを相手に伝えることができる事を時計文字盤に利用したものである。即ちキャラクター全体像を窓に表示するものではなく、占有面積が限定的な文字盤の窓を最大限に利用し、前記窓に表示される目付き、つまり目の形状を変更することで、文字盤に表示されるキャラクターのイメージに可変性をもたせて購買意欲を強く喚起させることができる時計を提供しようとすることを課題とする。
【課題を解決するための手段】
【０００９】
前述の課題を解決するため、本考案に係る時計は、実用新案登録請求の範囲の各請求項に記載の手段を採用する。
【００１０】
即ち、請求項１では、文字盤にキャラクターの少なくとも顔が描かれ、文字盤に描かれたキャラクターの顔の目の部分に窓が開口され、窓にキャラクターの目の異なる形状が選択的に表示されるようにしてなる。
【００１１】
この手段では、文字盤に表示されたキャラクターの目の形状が変更されることで、キャラクターのイメージの最も重要な要素である顔の表情を変化させることができる。
【００１２】
また、請求項２では、請求項１の時計において、文字盤の背面にキャラクターの目の複数の形状が放射状に描かれた回転板が当接されていることを特徴とする。
【００１３】
この手段では、回転板にキャラクターの目の複数の形状が放射状に描かれることで、回転板の回転によって窓にキャラクターの目の異なる形状が選択的に表示される。
【００１４】
また、請求項３では、請求項１の時計において、文字盤の窓にキャラクターの目の複数の形状を切換表示する液晶画面が取付けられていることを特徴とする。
【００１５】
この手段では、文字盤の窓に液晶画面が取付けられることで、キャラクターの目の複数の形状が液晶画面に切換表示される。
【００１６】
また、請求項４では、請求項２または３の時計において、表示されるキャラクターの目の形状が一定時間の経過ごとに自動的に変更されるものであることを特徴とする。
【００１７】
この手段では、表示されるキャラクターの目の表示が一定時間の経過ごとに自動的に変更されることで、使用者の意識に関係なくキャラクターのイメージが可変される。
【考案の効果】
【００１８】
本考案に係る時計は、文字盤の窓にキャラクター全体像を表示するものと異なり、目だけが窓に表示されるので相対的に大きく表示されことになり使用者にとってキャラクターの目の形状変更が視認し易く、キャラクターのイメージの最も重要な要素である顔の表情が変化したと容易に感得させることができるものであるから、簡単な手段で文字盤に表示されるキャラクターのイメージに可変性をもたせて購買意欲を強く喚起することができる効果がある。
【００１９】
さらに、請求項２として、回転板にキャラクターの目の複数の形状が放射状に描かれることで、回転板の回転によって窓にキャラクターの目の異なる形状が選択的に表示されるため、時計の機械式のカレンダ機構を利用して簡単に構成することができる効果がある。
【００２０】
さらに、請求項３として、文字盤の窓に液晶画面が取付けられることで、キャラクターの目の複数の形状が液晶画面に切換表示されるもので、これは汎用されている液晶表示技術を利用して簡単に構成することができる効果がある。
【００２１】
さらに、請求項４として、表示されるキャラクターの目の表示が一定時間の経過ごとに自動的に変更されることで、使用者の意識に関係なくキャラクターのイメージが可変されるため、ゲームとか占的な要素の面白さが加味されて使用者の気分転換が図られるなどから、購買意欲がより強く喚起される効果がある。
【図面の簡単な説明】
【００２２】
【図１】本考案に係る時計を実施するための形態の第１例の正面図（一部拡大図を含む）。
【図２】図１の要部拡大図である。
【図３】図１の要部の分解された拡大斜視図である。
【図４】図１のキャラクターのイメージの変化例を示す正面図である。
【図５】本考案に係る時計を実施するための形態の第２例の要部の分解された一部透視の拡大斜視図である。
【考案を実施するための形態】
【００２３】
以下、本考案に係る時計を実施するための形態を図面に基づいて説明する。
【００２４】
図１〜図４は、本考案に係る時計を実施するための形態の第１例を示すものである。
【００２５】
第１例では、アナログ式の腕時計への適用に好適なものを示してある。
【００２６】
第１例は、時計本体部の文字盤１の上部（１２時側）に動物であるうさぎのキャラクター２の顔が描かれている。そして、キャラクター２の顔の目の部分に表面，背面を貫通した窓３が開口されている。
【００２７】
文字盤１は、円板形に形成され、中心に時計針４を駆動する時計針軸５が貫通される軸孔１ａが穿孔され、表面の周縁に１２本の線状の時刻表示１ｂが放射状に設けられている。
【００２８】
この文字盤１の背面には、回転板６が当接されている。
【００２９】
回転板６は、円板形に形成され、中心に時計針軸５が貫通され回転板６を回転駆動する回転板軸７が固定される回転板軸通孔６ａが穿孔され、表面にキャラクター２の目の異なる形状６ｂが７個放射状に描かれている。キャラクター２の目の形状６ｂは、図４に示すように、１個ずつ窓３の開口面に対面することができる角度，大きさに設定され、日曜日用の形状６ｂａ，月曜日用の形状６ｂｂ，火曜日用の形状６ｂｃ，水曜日用の形状６ｂｄ，木曜日用の形状６ｂｅ，金曜日用の形状６ｂｆ，土曜日用の形状６ｂｇで構成されている。日曜日用の形状６ｂａ，土曜日用の形状６ｂｇについては、休日であることから、ハート形状とされてキャラクター２の顔の表情を楽しそうに表現するようになっている。月曜日用の形状６ｂｂについては、仕事が始まる週始めであることから、縦長楕円形状とされてキャラクター２の顔の表情を引締まったように表現するようになっている。さらに、火曜日用の形状６ｂｃ，水曜日用の形状６ｂｄ，木曜日用の形状６ｂｅ，金曜日用の形状６ｂｆについては、各曜日でそれぞれキャラクター２の顔の表情がその曜日の感情に合うように変化して表現するようになっている。
【００３０】
前述の時計針軸５，回転板軸７は、図３に示すように、中空の回転板軸７の内部に時計針軸５が配置されて同軸に組付けられて駆動ユニット８に連結されている。
【００３１】
駆動ユニット８は、コントローラ，ギア等を内蔵して、時計針軸５，回転板軸７を規則的に回転させることで時計針４，回転板６を駆動する。駆動ユニット８のコントローラには、各曜日用に構成されたキャラクター２の目の形状６ｂに対応して、回転板６の駆動について２４時間ごとの午前零時に３６０／７度の角度で回転を行わせるような設定がなされている。
【００３２】
第１例によると、回転板６，駆動ユニット８を時計で汎用されているカレンダ機構を利用して構成することができるため、安価，容易に製造することができる。
【００３３】
第１例を使用すると、毎日午前零時に、文字盤１の窓３に表示されるキャラクター２の目の形状６ｂが当日の曜日用のものに切換えられることになる。
【００３４】
従って、キャラクター２の目の形状６ｂが変更されることで、キャラクター２のイメージの最も重要な要素である顔の表情が変化される。そして、使用者の意識に関係なくキャラクター２のイメージが自動的に可変され、ゲーム，占的な要素の面白さが提供される。この結果、購買意欲が強く喚起されることになる。
【００３５】
図５は、本考案に係る時計を実施するための形態の第２例を示すものである。
【００３６】
第２例では、デジタル式の腕時計への適用に好適なものを示してある。
【００３７】
第２例は、文字盤１の窓３にキャラクター２の第１例のような複数の目の形状を切換表示する液晶画面９が取付けられている。
【００３８】
液晶画面９には、時計機構と連係して表示切換えを制御するコントローラ１０が接続されている。
【００３９】
第２例によると、液晶画面９，コントローラ１０を時計で汎用されている液晶表示技術を利用して簡単に構成することができるため、安価，容易に製造することができる。
【００４０】
第２例の使用による作用，効果については、第１例とほぼ同様に奏される。
【００４１】
以上、図示した各例の外に、キャラクター２として、他の動物や人間さらには擬人化した各種物品の形態を採用することも可能である。
【００４２】
さらに、文字盤１にキャラクター２の体，手足等を描くことも可能である。
【００４３】
さらに、リューズ（竜頭）等により、キャラクター２の目の形状６ｂを使用者の意思で積極的に変更できるようにすることも可能である。
【産業上の利用可能性】
【００４４】
本考案に係る時計は、腕時計以外に掛時計，置時計等にも適用が可能である。
【符号の説明】
【００４５】
１            文字盤
２            キャラクター
３            窓
６            回転板
６ｂ          目の形状
１０          液晶画面
【図１】
0003167578.tif 000003
【図２】
0003167578.tif 000004
【図３】
0003167578.tif 000005
【図４】
0003167578.tif 000006
【図５】
0003167578.tif 000007